(57)【要約】【課題】エレベータの乗場の扉に衝撃を加えた人に関わる画像を容易に確認できるエレベータ扉画像記録装置を提供する。【解決手段】エレベータ扉画像記録装置は、乗場に向かう人を撮影した映像信号をデジタルの映像データに変換する映像信号Ａ／Ｄ回路と、デジタルの映像データを圧縮する映像データ圧縮回路と、圧縮した映像データをフレーム毎に所定の期間記録するリングメモリ記録回路と、を備え、乗場の扉の加速度を計測して加速度信号を得る加速度センサと、加速度信号を解析して扉に衝撃が加えられたことを識別してトリガ信号を生成する衝撃識別部と、リングメモリ記録回路から読み出された映像データを可搬型半導体記憶媒体に記録するデジタル記録装置と、トリガ信号が入力されたとき扉に衝撃が加えられたことに関わる映像データをリングメモリ記録回路から読み出してデジタル記録装置に送出する記録制御回路と、を備える。【選択図】図２
2010241581.tif 000002
【特許請求の範囲】
【請求項１】
エレベータの乗場に向かう人を撮影した映像信号をデジタルの映像データに変換する映像信号Ａ／Ｄ回路と、上記デジタルの映像データを圧縮する映像データ圧縮回路と、上記圧縮した映像データをフレーム毎に所定の期間記録するリングメモリ記録回路と、を備えるエレベータ扉画像記録装置において、
上記乗場の扉の加速度を計測して加速度信号を得る加速度センサと、
上記加速度信号を解析して上記扉に衝撃が加えられたことを識別してトリガ信号を生成する衝撃識別部と、
上記リングメモリ記録回路から読み出された映像データを可搬型半導体記憶媒体に記録するデジタル記録装置と、
上記トリガ信号が入力されたとき上記扉に衝撃が加えられたことに関わる映像データを上記リングメモリ記録回路から読み出して上記デジタル記録装置に送出する記録制御回路と、
を備えることを特徴とするエレベータ扉画像記録装置。
【請求項２】
時刻を発生する時刻発生回路を備え、
上記デジタル記録装置は、上記映像データを上記時刻発生回路から発生される時刻と書庫化して上記可搬型半導体記憶媒体に記録することを特徴とする請求項１に記載のエレベータ扉画像記録装置。
【発明の詳細な説明】
【技術分野】
【０００１】
この発明は、エレベータの扉が毀損する恐れのあるときの画像を記録するエレベータ扉画像記憶装置に関するものである。
【背景技術】
【０００２】
従来のエレベータ扉の安全装置において、扉に衝撃検出用センサを取り付け、エレベータが走行中にイタズラ等で扉に衝撃が加えられた場合、その検出信号を制御盤に取り込みエレベータを最寄り階に誘導、停止させることにより、閉じ込め故障を防止する（例えば、非特許文献１参照）。
一方、エレベータの動作状態変化があった時にエレベータのかご室内の映像データをこの時の動作状態と組み合わせて映像データ蓄積メモリに記録する（例えば、特許文献１参照）。
【先行技術文献】
【特許文献】
【０００３】
【特許文献１】特開２００２−３１０４号公報
【非特許文献】
【０００４】
【非特許文献１】発明協会公開技報公技番号９９−２８６５号
【発明の概要】
【発明が解決しようとする課題】
【０００５】
しかし、扉に衝撃が加えられた場合、閉じ込め故障を防止することができますが、扉にだれが衝撃を加えたかについてはかご室内の映像データからでは分からないのと、衝撃が加えられた映像データがどれか分からないという問題がある。
【０００６】
この発明の目的は、エレベータの乗場の扉に衝撃を加えた人に関わる画像を容易に確認できるエレベータ扉画像記録装置を提供することである。
【課題を解決するための手段】
【０００７】
この発明に係るエレベータ扉画像記録装置は、エレベータの乗場に向かう人を撮影した映像信号をデジタルの映像データに変換する映像信号Ａ／Ｄ回路と、上記デジタルの映像データを圧縮する映像データ圧縮回路と、上記圧縮した映像データをフレーム毎に所定の期間記録するリングメモリ記録回路と、を備えるエレベータ扉画像記録装置において、上記乗場の扉の加速度を計測して加速度信号を得る加速度センサと、上記加速度信号を解析して上記扉に衝撃が加えられたことを識別してトリガ信号を生成する衝撃識別部と、上記リングメモリ記録回路から読み出された映像データを可搬型半導体記憶媒体に記録するデジタル記録装置と、上記トリガ信号が入力されたとき上記扉に衝撃が加えられたことに関わる映像データを上記リングメモリ記録回路から読み出して上記デジタル記録装置に送出する記録制御回路と、を備える。
【発明の効果】
【０００８】
この発明に係るエレベータ扉画像記録装置の効果は、扉に衝撃が加わったときの前後に亘る扉に向かう人の映像データをメモリカードに記録されるので、扉に衝撃を与えた人を画像から容易に特定することができることである。
【図面の簡単な説明】
【０００９】
【図１】この発明を実施するための最良の形態のエレベータ扉画像記録装置が配置されたある乗場の様子を示す図である。
【図２】この発明に係るエレベータ扉画像記録装置の構成を示す構成図である。
【図３】ＪＰＥＧ２０００ファイルが記録されているリングメモリ記録回路のフォーマットである。
【図４】映像データが記録されているメモリカードのフォーマットである。
【発明を実施するための形態】
【００１０】
図１は、この発明を実施するための最良の形態のエレベータ扉画像記録装置を配置したエレベータの乗場を示す図である。
この発明に係るエレベータ扉画像記録装置１は、エレベータ２に乗車しようとする
人を撮影するカメラ３、乗場側の扉４の加速度を計測する加速度センサ５、カメラ３から映像信号を取り込むとともに加速度センサ５からの加速度を解析して乗場側の扉４に衝撃が加えられたとき前後の画像を記録するレコーダ６を備える。
【００１１】
カメラ３は、全階床の乗場に設置され、撮影したＮＴＳＣ方式の映像データは無線によりレコーダ６に送信する。
加速度センサ５は、乗場側の扉４に設置される３次元加速度センサであり、扉４が昇降路側に移動するまたは昇降方向に移動したときの加速度を計測して無線によりレコーダ６に送信する。
【００１２】
レコーダ６は、エレベータのかごの上に搭載され、カメラ３からの映像データを受信する第１無線通信部１１、受信した映像データをデジタルの映像データに変換する映像信号Ａ／Ｄ回路１２、デジタルの映像データを例えばＪＰＥＧ２０００という方式で圧縮する映像データ圧縮回路１３、圧縮した映像データをフレーム毎に所定の期間記録する大容量のＦＩＦＯ半導体メモリからなるリングメモリ記録回路１４を備える。
【００１３】
また、レコーダ６は、加速度センサ５からの加速度データを受信する第２無線通信部１５、受信した加速度データに基づいて扉４に衝撃が加わったこと検知しトリガ信号を発する衝撃識別部１６、衝撃識別部１６が衝撃が加わったことを識別したとき生成するトリガ信号が入力されたとき映像データをリングメモリ記録回路１４から読み出してデジタル記録装置１７に送出する記録制御回路１８、時刻を発生する時刻発生回路１９、および、リングメモリ記録回路１４から出力される例えば３００フレーム分の映像データと時刻発生回路１９から発生される時刻を書庫化して例えばコンパクトフラッシュ（登録商標）の規格のメモリカード２０に記録するデジタル記録装置１７を備える。
【００１４】
なお、デジタルの映像データをＪＰＥＧ２０００という方式で圧縮しているが、必ずしもこの方式に限るものではなく、ＪＰＥＧ、ＧＩＦなどいずれの方式も適用できる。但し、ＪＰＥＧ２０００という方式を用いると高い圧縮率にも関わらず比較的復元画像が良好である。
また、カメラ３がＮＴＳＣ方式の映像信号を発生しているが、必ずしもこれに限るものではなく、ＰＡＬ方式の映像信号などであっても良い。
【００１５】
また、メモリカード２０としてコンパクトフラッシュ（登録商標）の規格のメモリカード２０に記録する例を説明したが、必ずしもこの規格のメモリカード２０に限るものではなく、ＳＤメモリカード、スマートメディア、メモリスティックなどいずれの規格のメモリカード２０を適用しても良い。
【００１６】
次に、具体的な例を用いて扉４に衝撃が加えられたときの記録をコンパクトフラッシュ（登録商標）の規格のメモリカード２０に記録する手順を説明する。カメラ３からは例えば１秒に３０フレームの映像データがレコーダ６に送られている。そして、映像信号Ａ／Ｄ回路１２では、フレーム毎の映像データをデジタルの映像データにアナログ／デジタル変換する。そして、映像データ圧縮回路１３では、デジタルの映像データをＪＰＥＧ２０００という方式で圧縮し、フレーム毎のＪＰＥＧ２０００ファイル（＊＊＊＊．ｊｐ２）に変換する。そして、ＪＰＥＧ２０００ファイルはリングメモリ記録回路１４に記録される。
【００１７】
リングメモリ記録回路１４は、例えば少なくともＪＰＥＧ２０００ファイルが６００個記録することができる容量を有しており、新たなＪＰＥＧ２０００ファイルを記録するとき、過去に遡ること６０１個目のＪＰＥＧ２０００ファイルが記録されているフィールドに新たなＪＰＥＧ２０００ファイルを上書きするＦＩＦＯメモリである。
すなわち、リングメモリ記録回路１４には図３に示すように、６００個のＪＰＥＧ２０００ファイルが記録されている。
【００１８】
衝撃が加えられたと衝撃識別部１６がトリガ信号を発したとき、トリガ信号が入力された記録制御回路１８は、トリガ信号が入力された時刻を衝撃が加えられた時刻とし、リングメモリ記録回路１４に記録されたＪＰＥＧ２０００ファイル中衝撃が加えられた時刻を挟んで例えば前１２秒後８秒ずつのＪＰＥＧ２０００ファイルを取り出す。１秒間に３０個のＪＰＥＧ２０００ファイルが記録されるので、２０秒間での６００個のＪＰＥＧ２０００ファイルを取り出すことになる。
【００１９】
デジタル記録装置１７では、６００個のＪＰＥＧ２０００ファイルを１つのファイル、すなわち１回衝撃が加えられた時の書庫にまとめてメモリカード２０に記録する。このとき６００個のＪＰＥＧ２０００ファイルをまとめて記録される１回衝撃が加えられた時の書庫をさらに例えば５０個まとめて１つのファイル、すなわち期間単位の書庫にまとめてメモリカード２０に記録することができる。すなわち、３００００個のＪＰＥＧ２０００ファイルが書庫の中に記録される。
そして、図４に示すように、１回衝撃が加えられた時の書庫の先頭には時刻発生回路１９が発生した時刻をメタデータとして記録するフィールドが設けられている。例えば、衝撃が加えられた時刻が２００９年２月１７日午前１時２０分１５秒であれば、この時刻情報がメタデータとして記録される。
【００２０】
また、期間単位の書庫の先頭には、期間単位の書庫に一番先に記録された１回衝撃が加えられた時の書庫のメタデータと最後に記録された１回衝撃が加えられた時の書庫のメタデータを期間開始のメタデータと期間終了のメタデータとして記録するフィールドが設けられている。例えば、この期間単位の書庫に一番先に記録した１回衝撃が加えられた時の書庫のメタデータが、２００９年２月１７日午前１時２０分１５秒であれば、期間単位の書庫の期間開始のメタデータとして２００９年２月１７日として記録し、この期間単位の書庫に最後に記録された１回衝撃が加えられた時の書庫のメタデータが、２００９年３月２０日午後１時４５分１２秒であれば、期間終了のメタデータとして２００９年３月２０日として記録する。
【００２１】
次に、このように扉に衝撃が加わったときの映像データが記録されたメモリカード２０をレコーダ６から抜き取り、メモリカード２０に記録された映像データを再生するアプリケーションが実装されたパソコン２１で衝撃が加えられたことに関わる映像を確認する手順について説明する。
パソコン２１に実装されているアプリケーションでは、図示しないＰＣカードスロットにメモリカード２０を挿入すると、メモリカード２０に記録されている期間単位の書庫の期間開始のメタデータおよび期間終了のメタデータ、１回衝撃が加えられた時の６０個の書庫のメタデータを読み出し、図示しないモニタに表示する。図示しないマウスを操作してカーソルを所望の１回衝撃が加えられた時の書庫のメタデータに合わせてクリックすると、当該１回衝撃が加えられた時の書庫に記録されているＪＰＥＧ２０００ファイルに展開される。そして、展開された６００個のＪＰＥＧ２０００ファイルをそれぞれ解凍して６００個の映像データに復元する。そして、６００個の映像データを用いてモニタに映像が再生される。
【００２２】
この発明に係るエレベータ扉画像記録装置は、扉に衝撃が加わったときの前後に亘る扉に向かう人の映像データをメモリカードに記録されるので、扉に衝撃を与えた人を画像から容易に特定することができる。
【００２３】
また、リングメモリ記録回路１４としてＦＩＦＯの半導体メモリを用いるとともに、扉に衝撃が加えられたときにはその前後それぞれ５秒間の映像をメモリカード２０に記録しているので、機械的駆動部が存在せず、故障が減少し、且つ信頼性が向上する。
また、映像データを１回衝撃が加えられた時毎の書庫に書庫化し、それから複数の１回衝撃が加えられた時の書庫をさらに新たな書庫に書庫化してメモリカード２０に記録するので、メモリカード２０に記録できる映像データの量が多くできる。
また、メモリカード２０に記録されている書庫のメタデータから映像データが記録されている期間が分かり、次に１回衝撃が加えられた時毎の書庫のメタデータから１回衝撃が加えられた時の時刻が特定することができるので、所望の衝撃が加えられた時に関する映像データを速やかに検索することができる。
【符号の説明】
【００２４】
１  エレベータ扉画像記録装置、２  エレベータ、３  カメラ、４  扉、５  加速度センサ、６  レコーダ、１１  第１無線通信部、１２  映像信号Ａ／Ｄ回路、１３  映像データ圧縮回路、１４  リングメモリ記録回路、１５  第２無線通信部、１６  衝撃識別部、１７  デジタル記録装置、１８  記録制御回路、１９  時刻発生回路、２０  メモリカード、２１  パソコン。
【図１】
2010241581.tif 000003
【図２】
2010241581.tif 000004
【図３】
2010241581.tif 000005
【図４】
2010241581.tif 000006